(57)【要約】【課題】様々な電話機の電話番号等の識別情報からユーザの任意の電話番号等の識別情報を相手先に通知することができる通信システム等を提供すること。【解決手段】発信者端末が受信者端末の識別情報への接続要求時にＩＤおよびパスワードにより認証された後に、受信者端末の識別情報、ＩＤおよびパスワードに対応して予め登録された仮の識別情報を発信者端末の識別情報として受信者端末に接続して表示する。【選択図】図１
2011135144.tif 000002
【特許請求の範囲】
【請求項１】
発信者端末が受信者端末の識別情報への接続要求時にＩＤおよびパスワードにより認証された後に、前記受信者端末の識別情報、前記ＩＤおよび前記パスワードに対応して予め登録された仮の識別情報を発信者端末の識別情報として受信者端末に接続して表示することを特徴とする通信システム。
【請求項２】
前記発信者端末は、前記発信者端末の電話番号から受信者端末の電話番号へ接続要求し、
前記仮の識別情報は、仮の電話番号もしくは仮の名称であることを特徴とする請求項１記載の通信システム。
【請求項３】
発信者側交換機は前記発信者端末から受信した前記受信者端末の識別情報、前記ＩＤおよび前記パスワードより中継局に接続要求信号を送信し、
前記中継局は送信されてきた接続要求信号より前記ＩＤおよび前記パスワードをサーバの所定の記憶部を参照して認証した後に前記接続要求信号に前記仮の識別情報を付加し、着信側交換機へ接続要求信号を送信し、
前記着信側交換機は、前記受信者端末を着信状態とすることを特徴とする請求項１または２記載の通信システム。
【請求項４】
発信者端末が受信者端末の識別情報への接続要求時にＩＤおよびパスワードにより認証されるステップと、
前記受信者端末の識別情報、前記ＩＤおよび前記パスワードに対応して予め登録された仮の識別情報を発信者端末の識別情報として受信者端末に接続して表示するステップとを有することを特徴とする通信方法。
【請求項５】
前記発信者端末は、前記発信者端末の電話番号から受信者端末の電話番号へ接続要求し、
前記仮の識別情報は、仮の電話番号もしくは仮の名称であることを特徴とする請求項４記載の通信方法。
【請求項６】
発信者側交換機が前記発信者端末から受信した前記受信者端末の識別情報、前記ＩＤおよび前記パスワードより中継局に接続要求信号を送信するステップと、
前記中継局が送信されてきた接続要求信号より前記ＩＤおよび前記パスワードをサーバの所定の記憶部を参照して認証した後に前記接続要求信号に前記仮の識別情報を付加し、着信側交換機へ接続要求信号を送信するステップと、
前記着信側交換機が、前記受信者端末を着信状態とするステップとを有することを特徴とする請求項４または５記載の通信方法。
【発明の詳細な説明】
【技術分野】
【０００１】
本発明は、電話番号や登録名などの識別情報を着信先の電話機にナンバー表示させる技術に関する。
【背景技術】
【０００２】
個人所有の携帯電話機、固定電話機以外から電話をかける場合、相手先の電話機に表示される電話番号が個人所有の携帯電話機、固定電話機とは違うため特に携帯電話機では着信拒否される場合がある。
【０００３】
また、迷惑電話が多い携帯電話機では不明な電話番号通知を受けると電話を発信している相手が判らず家族や知人からの電話でも着信拒否されるという問題点があった。
【０００４】
さらに、オレオレ詐欺などが多発してきているため、電話機利用者の保護のため付加機能を充実させる必要性があった。
【０００５】
関連技術として、発信者のオリジナル番号を、登録されているマスク番号へ自動的に転送し、メッセージを葉新車のマスク番号を用いて受信者に送り、その受信者の電話機はそのマスク番号を表示する構成が開示されている（例えば、特許文献１参照）。
【先行技術文献】
【特許文献】
【０００６】
【特許文献１】特開２００３−３３３１６８号公報
【発明の概要】
【発明が解決しようとする課題】
【０００７】
しかしながら、上記の関連技術では、１つの電話機に２つ以上の電話番号を持たせ、ユーザのプライバシーを保障するにすぎなく、様々な電話機の電話番号等の識別情報からユーザの任意の電話番号等の識別情報を相手先に通知することは困難であった。
【０００８】
本発明の目的は、様々な電話機の電話番号等の識別情報からユーザの任意の電話番号等の識別情報を相手先に通知することができる通信システムおよび通信方法を提供することにある。
【課題を解決するための手段】
【０００９】
本発明の通信システムは、発信者端末が受信者端末の識別情報への接続要求時にＩＤおよびパスワードにより認証された後に、前記受信者端末の識別情報、前記ＩＤおよび前記パスワードに対応して予め登録された仮の識別情報を発信者端末の識別情報として受信者端末に接続して表示することを特徴とする。
【００１０】
また、本発明の通信方法は、発信者端末が受信者端末の識別情報への接続要求時にＩＤおよびパスワードにより認証されるステップと、
前記受信者端末の識別情報、前記ＩＤおよび前記パスワードに対応して予め登録された仮の識別情報を発信者端末の識別情報として受信者端末に接続して表示するステップとを有することを特徴とする。
【発明の効果】
【００１１】
本発明によれば、様々な電話機の電話番号等の識別情報からユーザの任意の電話番号等の識別情報を相手先に通知することが可能となる。
【図面の簡単な説明】
【００１２】
【図１】本発明の実施の形態に係るシステム構成を示す図である。
【図２】本発明の実施の形態に係るユーザの識別情報やＩＤ及びＰＡＳＳＷＯＲＤの例を示す図である。
【図３】本発明の実施の形態に係る接続要求信号Ａの例を示す図である。
【図４】本発明の実施の形態に係る接続要求信号Ｂの例を示す図である。
【図５】本発明の実施の形態に係るポータブル電話番号の登録及び修正のフローチャートである。
【図６】本発明の実施の形態に係るポータブル電話番号を用いた発信から着信までのシーケンス図である。
【発明を実施するための形態】
【００１３】
以下、本発明の実施の形態について図面を参照して詳細に説明する。図１に示す本実施の形態における通信システムは、発信者側電話機００１と発信者側交換機００２、中継局００３及び着信者側交換機００４、着信者側電話機００５で構成されている。また、中継局００３からサーバ００６に接続できる。また、発信者ユーザ端末００８からインターネット００７を介してサーバ００６に接続できる。
【００１４】
発信者側電話機００１は交換機００２に接続されており通常の電話機機能を有している。携帯電話機、固定電話機いずれであってもよい。
【００１５】
発信者側交換機００２は中継局００３に接続されており発信者側電話機００１からダイヤルを受信すると中継局００３へ接続要求信号Ａを送出する。中継局００３は発信者側交換機００２から受信した接続要求信号Ａを識別し着信側交換機００４に接続要求信号Ｂを転送する。
【００１６】
接続要求信号Ｂを受信した着信者側交換機００４は、通常の電話機機能である動作として着信側電話機００５が通話可能な状態かを確認、極性反転し情報受信端末起動信号、モデム信号を送信する。モデム信号にはナンバーディスプレイに必要な発信者側の電話番号や名前・名称などの情報がある。
【００１７】
着信者側電話機００５は上記信号に応答するため一時応答信号、受信完了信号を返信し通常の電話呼び出し状態となる。
【００１８】
また、中継局００３に接続されているサーバ００６は電話番号及びポータブル電話番号登録用の電話番号登録用ＩＤ、電話番号登録用ＰＡＳＳＷＯＲＤをＤＢ１０に収納している。電話番号登録用ＩＤ、電話番号登録用ＰＡＳＳＷＯＲＤはユーザ端末００８からインターネット００７を介して登録ができる。
【００１９】
また、図２はサーバ００６に収納されているユーザの識別情報やＩＤ及びＰＡＳＳＷＯＲＤの例である。
図３は接続要求信号Ａの例である。
図４は接続要求信号Ｂの例である。
【００２０】
次に、図５のフローチャート、および、図６のシーケンス図を参照して本実施の形態の動作について詳細に説明する。
【００２１】
初めに図５を参照してポータブル電話番号の登録及び修正フローを説明する。まず発信者ユーザ端末００８がインターネット００７を介しサーバ００６に接続される（Ｓ５０１）。
【００２２】
次に、あらかじめ登録されている電話番号登録用ＩＤ及び電話番号登録用ＰＡＳＳＷＯＲＤを入力し（Ｓ５０２）、認証する（Ｓ５０３）。
【００２３】
最後に電話番号登録用ＩＤ及び電話番号登録用ＰＡＳＳＷＯＲＤが認証されれば発信表示するための発信用ＩＤ、発信用ＰＡＳＳＷＯＲＤとポータブル電話番号をサーバ００６はＤＢ１０に登録する（Ｓ５０４）。電話番号登録用ＩＤ及び電話番号登録用ＰＡＳＳＷＯＲＤ並びに発信表示するための発信用ＩＤ、発信用ＰＡＳＳＷＯＲＤおよびポータブル電話番号は図２に示すように紐付けられる。なお、ポータブル電話番号は、仮の、あるいは一時的に用いられる電話番号であるが、電話番号のほか名前・名称などの種々の識別情報であってよい。
【００２４】
次に、図６を参照してポータブル電話番号を用いた発信から着信までのシーケンスを説明する。
【００２５】
まず、発信者側電話機００１より発信用ＩＤ、発信用ＰＡＳＳＷＯＲＤ、相手先電話番号がダイヤルされる（Ｓ６０１）。
【００２６】
発信者側交換機００２では受信した発信用ＩＤ、発信用ＰＡＳＳＷＯＲＤ、相手先電番号より中継局００３に接続要求信号Ａを送信する（Ｓ６０２）。
【００２７】
接続要求信号Ａを受信した中継局００３は送信されてきた接続要求信号Ａより発信用ＩＤをサーバ００６に接続しＤＢ1０より照合する（Ｓ６０３、Ｓ６０４）。発信用ＩＤを確認出来なければビジートーンを送信する（Ｓ６０５）。
【００２８】
次に中継局００３はＤＢ1０より発信用ＰＡＳＳＷＯＲＤを照合する（Ｓ６０６）。発信用ＰＡＳＳＷＯＲＤが認証されなければビジートーンを送信する（Ｓ６０７）。
【００２９】
発信用ＩＤ、発信用ＰＡＳＳＷＯＲＤが認証されれば中継局００３は接続要求信号ＡにＤＢ１０に登録されているポータブル電話番号を付加する（Ｓ６０８）。発信側電話番号をポータブル電話番号に置き換えることであってもよい。
【００３０】
以降は従来の方法であるが中継局００３は相手先電話番号を確認しルーティングを行う（Ｓ６０９）。着信側交換機００４へ接続要求信号Ａの発信側電話番号にポータブル電話番号を付加した接続要求信号Ｂを送信する。接続要求信号Ｂを受信した着信側交換機００４は着信側電話機００５が応答可能かどうか確認し応答可能であれば極性反転をする（Ｓ６１０、Ｓ６１１）。
【００３１】
次に着信側交換機００４は情報受信端末起動信号を着信側電話機００５に送信する（Ｓ６１３）。受信した着信側電話機００５は一時応答信号を着信側交換機００４に送信する（Ｓ６１４、Ｓ６１５）。受信した着信側交換機００４はモデム信号Ｃを着信側電話機００５に送信する（Ｓ６１６、Ｓ６１７）。最後にモデム信号Ｃを受信した着信側電話機００５は受信完了信号を送信し着信状態となる（Ｓ６１８、Ｓ６１９）。受信完了信号を受信した着信側交換機００４は通常動作へ移行する（Ｓ６２０）。
【００３２】
上記の本実施の形態によれば、様々な電話機の電話番号等の識別情報から、ユーザ指定の電話番号等の識別情報を相手に知らせることができる。その理由は、電話番号等の識別情報をあらかじめ登録しているためである。
【００３３】
なお、上述する各実施の形態は、本発明の好適な実施の形態であり、本発明の要旨を逸脱しない範囲内において種々変更実施が可能である。例えば、発信者側電話機００１、サーバ００６等の機能を実現するためのプログラムを各装置に読込ませて実行することにより各装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。また、各装置の機能が他の装置によりまとめて実現されたり、追加の装置により機能が分散されて実現される形態も本発明の範囲内である。
本発明は、会社がお客様へ連絡する場合にどこからでも会社名を表示できるといった用途に適用できる。
【符号の説明】
【００３４】
００１    発信者側電話機
００２    発信者側交換機
００３    中継局
００４    着信者側交換機
００５    着信者側電話機
００６    サーバ
００７    インターネット
００８    発信者ユーザ端末
１０    ＤＢ（データベース）
【図１】
2011135144.tif 000003
【図２】
2011135144.tif 000004
【図３】
2011135144.tif 000005
【図４】
2011135144.tif 000006
【図５】
2011135144.tif 000007
【図６】
2011135144.tif 000008